(57)【要約】【課題】調理器具等の加熱停止が簡易にできる加熱装置を提供する。【解決手段】加熱装置１０は、燃焼塔１２と、加熱室１４を有する。燃焼塔１２は、その内部に、固形燃料Ｐを収容する燃料室１６と、固形燃料Ｐが燃焼する燃焼室１８と、固形燃料が燃焼するための空気を燃焼室１８に供給する給気管２０と、燃焼室１８で固形燃料Ｐが燃焼する際に発生する燃焼気体を排出する排気管２２と、燃焼室１８と排気管２２とを連通する第一開口部２４と、第一開口部２４を開閉する第一蓋２６を備える。加熱室１４は、燃焼室１８から供給された燃焼気体を横方向に流す上室２８と、上室２８に連通され、上室２８から供給された燃焼気体を折り返して横方向に流す下室３０を備える。加熱装置１０は、下室３０と排気管２２とを連通する第二開口部３２と、第二開口部３２を開閉する第二蓋３４を有する。【選択図】図３
0003175791.tif 000002
【実用新案登録請求の範囲】
【請求項１】
燃焼塔と、加熱室とを有する加熱装置であって、
前記燃焼塔は、その内部に、固形燃料を収容する燃料室と、固形燃料が燃焼する燃焼室と、固形燃料が燃焼するための空気を前記燃焼室に供給する給気管と、前記燃焼室で固形燃料が燃焼する際に発生する燃焼気体を排出する排気管と、前記燃焼室と前記排気管とを連通する第一開口部と、前記第一開口部を開閉する第一蓋とを備え、
前記加熱室は、前記燃焼室から供給された燃焼気体を横方向に流す上室と、前記上室に連通され、前記上室から供給された燃焼気体を折り返して横方向に流す下室とを備え、
前記下室と前記排気管とを連通する第二開口部と、前記第二開口部を開閉する第二蓋とをさらに有する加熱装置。
【請求項２】
請求項１の加熱装置において、
前記第一蓋と前記第二蓋は兼用蓋であり、
前記第一開口部および前記第二開口部の一方を前記兼用蓋で閉じたときに、他方が開くように切り換えできる切換部材をさらに有する加熱装置。
【請求項３】
請求項１または２の加熱装置において、
前記下室に調理具材を投入する引き出しをさらに有する加熱装置。
【考案の詳細な説明】
【技術分野】
【０００１】  本考案は、屋外でストーブやレンジなどとして使用され、木質系固形物を燃料とする加熱装置に関するものである。
【背景技術】
【０００２】  植物性由来の固形燃料を燃焼する燃焼器具が知られている（特許文献１）。この燃焼器具は、一定の火力を長時間維持できる点で優れている。しかしながら、固形燃料収納体と排気装置の間に加熱調理部があるため、加熱調理部で加熱している調理器具の加熱を停止したい場合には、調理器具を加熱調理部から移動させなければならない。
【先行技術文献】
【特許文献】
【０００３】
【特許文献１】特開２００９−１９８４６号公報
【考案の概要】
【考案が解決しようとする課題】
【０００４】  本考案は上記事情に鑑みてなされたものであり、調理器具等の加熱停止が簡易にできる加熱装置を提供することを目的とする。
【課題を解決するための手段】
【０００５】  本考案の加熱装置は、燃焼塔と、加熱室とを有する。燃焼塔は、その内部に、固形燃料を収容する燃料室と、固形燃料が燃焼する燃焼室と、固形燃料が燃焼するための空気を燃焼室に供給する給気管と、燃焼室で固形燃料が燃焼する際に発生する燃焼気体を排出する排気管と、燃焼室と排気管とを連通する第一開口部と、第一開口部を開閉する第一蓋とを備える。加熱室は、燃焼室から供給された燃焼気体を横方向に流す上室と、上室に連通され、上室から供給された燃焼気体を折り返して横方向に流す下室とを備える。本考案の加熱装置は、下室と排気管とを連通する第二開口部と、第二開口部を開閉する第二蓋とをさらに有する。【０００６】  本考案の加熱装置において、第一蓋と第二蓋は兼用蓋であり、第一開口部および第二開口部の一方を兼用蓋で閉じたときに、他方が開くように切り換えできる切換部材をさらに有することが好ましい。また、本考案の加熱装置において、下室に調理具材を投入する引き出しをさらに有することが好ましい。
【考案の効果】
【０００７】  本考案によれば、調理器具等の加熱停止が簡易にできる加熱装置が得られる。
【図面の簡単な説明】
【０００８】
【図１】本考案の実施形態に係る加熱装置の平面図である。
【図２】本考案の実施形態に係る加熱装置の正面図である。
【図３】本考案の実施形態に係る加熱装置の断面模式図である。
【考案を実施するための形態】
【０００９】  以下、本考案の加熱装置について、図面を参照しながら実施形態に基づいて説明する。なお、図面は、加熱装置および加熱装置を構成する各部材を模式的に表したものであり、これらの実物の寸法および寸法比は、図面上の寸法および寸法比と必ずしも一致していない。また、重複説明は適宜省略し、同一部材には同一符号を付与することがある。
【００１０】  図１は、本考案の実施形態に係る加熱装置１０の平面図である。図２は、加熱装置１０の正面図である。図３は、図１の加熱装置１０をＡ−Ａ線で切断したときの断面模式図である。加熱装置１０は、燃焼塔１２と、加熱室１４とを備える。燃焼塔１２は、加熱室１４の端部で、加熱室１４と接続している。なお、燃焼塔１２は加熱室１４から取り外し可能である。燃焼塔１２を加熱室１４から取り外すことによって、燃焼塔１２および加熱室１４が運搬しやすくなる。
【００１１】  燃焼塔１２は、筒形状を有し、例えば金属板を加工して製造される。燃焼塔１２は、図３に示すように、その内部が区画されており、燃料室１６と、燃焼室１８と、給気管２０と、排気管２２とが設けられている。このように、燃料室１６と、燃焼室１８と、給気管２０と、排気管２２とが燃焼塔１２内にまとめて設けられているため、加熱装置１０のコンパクト化が図れ、この点でも加熱装置１０は携帯性に優れている。
【００１２】  燃焼塔１２の内部には、さらに、第一開口部２４と、第一蓋２６が設けられている。第一開口部２４は、給気管２０を介して燃焼室１８と排気管２２とを連通する。第一蓋２６は、第一開口部２４を開閉する。燃料室１６は、木質ペレット等の固形燃料Ｐを収容する。具体的には、燃料室１６の上蓋（不図示）を開けて、燃料室１６内に固形燃料Ｐを投入する。燃料室１６の下部には、燃焼室１８が設けられている。
【００１３】  燃焼室１８は金属等の網で囲まれた領域であり、燃料室１６内に投入された固形燃料Ｐは、燃焼室１８まで落下して網目から露出した状態で収まる。なお、燃料室１６の下部で燃焼室１８より上の位置に、固形燃料Ｐを排出できる排出口を設けてもよい（不図示）。排出口を設けることによって、燃料室１６内に投入したものの余ってしまった固形燃料Ｐを容易に回収できる。
【００１４】  露出した固形燃料Ｐに、後述する調理開口部から火気を近づけて点火すれば、固形燃料Ｐは燃焼室１８内で燃焼する。マッチ、ライター、またはガスバーナー等で直接固形燃料Ｐに点火してもよいし、着火剤や助燃剤等を使用して固形燃料Ｐに点火してもよい。給気管２０は、燃焼室１８と連通しており、燃焼室１８で固形燃料Ｐが燃焼するための空気を、加熱装置１０の外部から燃焼室１８内に供給する。
【００１５】  排気管２２は、燃焼室１８で固形燃料Ｐが燃焼する際に発生する燃焼気体を加熱装置１０の外部に排出する。排気管２２には、加熱装置１０の使用環境等に応じて煙突を装着して、排気距離を長くしてもよい。燃焼室１８で発生した燃焼気体を排出する経路は二通りある。第一の経路は、燃焼室１８から加熱室１４を経由した後、排気管２２に流れるもので、第二の経路は、燃焼室１８から第一開口部２４を経由して排気管２２に流れるものである。燃焼気体を排出する二通りの経路の詳細は後述する。
【００１６】  加熱室１４は、上下に仕切られた中空の直方体のような形状を有し、例えば金属板を加工して製造される。すなわち、加熱室１４は、上部に上室２８を、下部に下室３０を備える。上室２８では、図３の矢印が示すように、燃焼室１８から供給された燃焼気体が横方向に流れる。また、下室３０は、燃焼塔１２から離れた位置で上室２８に連通される。下室３０では、同じく図３の矢印が示すように、上室２８から供給された燃焼気体が折り返されて横方向に流れる。
【００１７】  加熱装置１０は、下室３０の上部で下室３０と排気管２２とを連通する第二開口部３２と、第二開口部３２を開閉する第二蓋３４とを備える。本実施形態では、第一蓋２６と第二蓋３４は兼用蓋３６であり、第一開口部２４および第二開口部３２の一方を兼用蓋３６で閉じたときに、他方が開くように切り換えできる切換部材である切換レバー３８が兼用蓋３６に連通されている。
【００１８】  加熱装置１０は、下室３０に調理具材を投入する引き出し４０を備える。また、上室２８の上部には、調理開口部４２が２個所形成されている。調理開口部４２，４２には、開閉できる蓋４４，４４が設けられている。本実施形態では、調理開口部４２を２個所設けたが、１個所であっても、３個所以上であってもよい。加熱室１４内には、上室２８と下室３０に挟まれて燃焼気体が通らない空間に、オーブン４６が設けられている。オーブン４６は、加熱室１４の正面の開閉板４８によって開閉できる。加熱室１４の底面には、加熱室１４を支持し折りたたみ可能な４本の脚５０と、燃焼室１８から落下した固形燃料Ｐの灰を受け取る灰受引き出し５２が設けられている。
【００１９】  つぎに加熱装置１０の作動方法について説明する。まず、折りたたまれている４本の脚５０を引き出して、加熱室１４を設置する。つぎに、加熱室１４に燃焼塔１２を接続する。そして、固形燃料Ｐを燃料室１６に投入する。このとき、固形燃料Ｐは燃焼室１８まで落下する。その後、第二開口部３２を第二蓋３４で閉じ、第一開口部２４から第一蓋２６を外して第一開口部２４を開放する。本実施形態では、切換レバー３８を動かして、第一開口部２４が開き、第二開口部３２が閉まるように兼用蓋３６を移動する。
【００２０】  つぎに、燃焼室１８に近い方の調理開口部４２の蓋４４を開けて、調理開口部４２から火気を燃焼室１８に近づけ、固形燃料Ｐに点火する。そして、火気を調理開口部４２から取り出す。すると、調理開口部４２から燃焼室１８に空気が供給されながら、燃焼室１８で固形燃料Ｐが燃焼し始める。燃焼室１８で発生した燃焼気体は、主に排気管２２を通って加熱装置１０の外部に排出される。このとき、排気管２２が温められる。
【００２１】  排気管２２が温まったのを確認したら、第一開口部２４を第一蓋２６で閉じ、第二開口部３２から第二蓋３４を外して第二開口部３２を開放する。本実施形態では、切換レバー３８を動かして、第二開口部３２を閉めていた兼用蓋３６を、第一開口部２４が閉まるように移動する。また、切換レバー３８の移動とほぼ同時に、点火時から開放していた調理開口部４２を蓋４４で閉じる。すると、今度は給気管２０から燃焼室１８に空気が供給されながら、燃焼室１８で固形燃料Ｐが燃焼し続ける。そして、温まった排気管２２の気体吸引力によって、図３の矢印で示すように、燃焼気体が加熱室１４内を循環し始める。加熱室１４内を循環した後、燃焼気体は排気管２２を通って加熱装置１０の外部に排出される。
【００２２】  その後、固形燃料Ｐの燃焼が進行すると、上記のような燃焼気体の循環と排出が盛んになり、加熱装置１０は十分に加熱された状態になる。このまま、加熱装置１０を屋外用ストーブとして使ってもよい。加熱装置１０を調理機器として使う場合は、蓋４４，４４を開けて、調理開口部４２，４２に食材入りの調理器具、例えば鍋をはめ込む。例えば、一方の鍋で炊飯し、他方の鍋でスープやみそ汁を作れる。また、引き出し４０に調理具材を入れて、下室３０に調理具材、例えばチーズ、肉、魚等を投入してもよい。下室３０は燃焼気体が通過するので、調理具材をいぶすのに適している。
【００２３】  さらに、開閉板４８を開けて、例えばパンをオーブン４６に投入し開閉板４８を閉めると、オーブン４６内には燃焼気体が入らないので、パンをゆっくりと加熱できる。そして、調理が完了したら、第一開口部２４から第一蓋２６を外して第一開口部２４を開放し、第二開口部３２を第二蓋３４で閉じる。本実施形態では、切換レバー３８を動かして、第一開口部２４を閉めていた兼用蓋３６を、第二開口部３２が閉まるように移動する。それとほぼ同時に、固形燃料Ｐを燃料室１６から排出してもよい。
【００２４】  上記切換レバー３８の移動によって、燃焼気体は、燃焼室１８から第一開口部２４を通過して、排気管２２に導かれる。このため、加熱室１４を必要以上に加熱することがなくなり、調理器具を移動させなくても焦げ付き等が抑えられる。すなわち、第一開口部２４と第二開口部３２の開閉という簡易な操作で、調理器具等の加熱停止ができる。
【符号の説明】
【００２５】１０  加熱装置
１２  燃焼塔
１４  加熱室
１６  燃料室
１８  燃焼室
２０  給気管
２２  排気管
２４  第一開口部
２６  第一蓋
２８  上室
３０  下室
３２  第二開口部
３４  第二蓋
３６  兼用蓋
３８  切換レバー
４０  引き出し
４２  調理開口部
４４  蓋
４６  オーブン
４８  開閉板
５０  脚
５２  灰受引き出し
Ｐ    固形燃料
【図１】
0003175791.tif 000003
【図２】
0003175791.tif 000004
【図３】
0003175791.tif 000005